【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
入れ子リングセルであって、
外側リングと、
前記外側リングの内部に配置された内側リングと、
１または複数の可動トラムと、
を備え、
前記１または複数の可動トラムの各々は、前記外側リングまたは前記内側リング上に配置され当該外側リングまたは当該内側リングに沿って乗っており、且つ、前記外側リングまたは前記内側リングの少なくとも一部に沿って移動するように構成されており、
それぞれの可動トラムは、軌道としてそれぞれのリングを用いて、当該外側リングまたは当該内側リング上に配置されており、
当該入れ子リングセルは、宇宙船である
ことを特徴とする入れ子リングセル。
【請求項２】
前記外側リングと前記内側リングとの間に位置する中間リング
を更に備えたことを特徴とする請求項１に記載の入れ子リングセル。
【請求項３】
前記外側リングと前記中間リングと前記内側リングとを接続するシャフト
を更に備え、
前記外側リングと前記中間リングと前記内側リングとは、前記シャフトに回転可能に接続されている
ことを特徴とする請求項２に記載の入れ子リングセル。
【請求項４】
外側リングモータと中間リングモータと内側リングモータ
を更に備え、
前記外側リングモータと前記中間リングモータと前記内側リングモータは、それぞれ、前記外側リングと前記中間リングと前記内側リングの回転を促進するように構成されている
ことを特徴とする請求項３に記載の入れ子リングセル。
【請求項５】
前記外側リングと前記内側リングは、平坦な形態で格納され得て、その後、当該入れ子リングセルが宇宙に至ると展開され得る、というように折り畳み可能である
ことを特徴とする請求項１に記載の入れ子リングセル。
【請求項６】
前記外側リング、前記内側リング、または、それらの両方は、それぞれのリングの動作またはセル全体の動作を制御するように構成された制御電子機器を有する
ことを特徴とする請求項１に記載の入れ子リングセル。
【請求項７】
前記１または複数の可動トラムの少なくとも１つは、前記外側リング及び前記内側リングの一方または両方の動作、または、セル全体の動作、を制御するように構成された制御電子機器を有する
ことを特徴とする請求項１に記載の入れ子リングセル。
【請求項８】
前記セルは、更に、当該セルの動作を制御するように構成されたペイロード／制御部を有し、
前記ペイロード／制御部は、格納された形態にある時、当該セルのコンパクトなフォームファクタを部分的に促進する平坦な形状を有する
ことを特徴とする請求項１に記載の入れ子リングセル。
【請求項９】
前記ペイロード／制御部は、少なくとも１つの推進剤貯蔵タンクを有する
ことを特徴とする請求項８に記載の入れ子リングセル。
【請求項１０】
前記ペイロード／制御部は、
リアクションホイールハウジング、及び、
リアクションホイールと、当該ペイロード／制御部の正味の角運動量ベクトルを制御して前記リアクションホイールによって生成される運動量の非飽和化を可能にする運動量ダンピングシステムと、を含む運動量管理システム、
を有しており、
前記ペイロード／制御部は、前記運動量管理システムを介して、前記外側リング及び／若しくは前記内側リングまたは複数の相互接続セルの回転を無効化するように構成されている
ことを特徴とする請求項８に記載の入れ子リングセル。
【請求項１１】
前記外側リング、前記内側リング、または、それらの両方は、前記１または複数の可動トラムの少なくとも１つに電力を供給して制御するための電力線及びデータ線を含むレールを有している
ことを特徴とする請求項１に記載の入れ子リングセル。
【請求項１２】
前記外側リング、前記内側リング、または、それらの両方は、
当該入れ子リングセルを推進するよう構成された少なくとも１つの回転可能なノズルと、
前記少なくとも１つの回転可能なノズルに推進剤を供給するように構成された少なくとも１つの推進剤ラインと、
を有している
ことを特徴とする請求項１に記載の入れ子リングセル。
【請求項１３】
前記１または複数の可動トラムの少なくとも１つは、
少なくとも１つの他のセル、他のセルの少なくとも１つの他のトラム、少なくとも１つの他の構造、または、それらの任意の組み合わせ、に接続するか、
少なくとも１つの他のセルに、電力、データ、燃料、熱、または、それらの任意の組み合わせ、を提供するか、
連結され得る外部成分を保持する支持構造として機能するか、または、
これらの任意の組合せを行う
ように構成されている
ことを特徴とする請求項１に記載の入れ子リングセル。
【請求項１４】
前記１または複数の可動トラムの少なくとも１つは、他のトラムのリンク部材、他の構造、または、それらの両方、とリンク動作を実施するように構成されたリンク機構を有する
ことを特徴とする請求項１に記載の入れ子リングセル。
【請求項１５】
前記リンク機構は、リング、トラム、または、それらの両方、の磁石と作用するように構成された電磁石を有する
ことを特徴とする請求項１４に記載の入れ子リングセル。
【請求項１６】
前記リンク機構は、ドッキングのための視覚的姿勢推定、トラム間で渡される信号及び情報のテスト、並びに、サイバー脅威に対するセキュリティ、を提供するハードウェア及びソフトウェアを含む階層化インタフェースを有している
ことを特徴とする請求項１５に記載の入れ子リングセル。
【請求項１７】
前記リンク機構は、電動式であり、ヒンジ継手、ピボット継手、ボールソケット継手、楕円ソケット継手、サドル継手、平面継手、機械的及び磁気的インターロック、または、バネ負荷式ボール溝継手、の一部を有する
ことを特徴とする請求項１５に記載の入れ子リングセル。
【請求項１８】
前記１または複数の可動トラムの少なくとも１つは、前記それぞれの可動トラム及びその構成要素の動作を制御するように構成された回路を更に有する
ことを特徴とする請求項１に記載の入れ子リングセル。
【請求項１９】
前記１または複数の可動トラムの少なくとも１つがそれに沿って移動するリングは、トラム保持部を有するレールを含んでいる
ことを特徴とする請求項１に記載の入れ子リングセル。
【請求項２０】
前記１または複数の可動トラムの少なくとも１つは、前記レールの前記トラム保持部と係合して、当該それぞれの可動トラムをそのそれぞれのリングに動作可能に接続した状態に保つように構成されたトラム保持部材を有している
ことを特徴とする請求項１９に記載の入れ子リングセル。
【請求項２１】
前記１または複数の可動トラムの少なくとも１つは、前記レールの前記トラム保持部に接触して前記レールに沿った当該それぞれの可動トラムの移動を促進するホイールを含んでいる
ことを特徴とする請求項１９に記載の入れ子リングセル。
【請求項２２】
前記１または複数の可動トラムの少なくとも１つは、
推進剤ガスを排出するように構成された少なくとも１つのノズルと、
前記少なくとも１つのノズルに前記推進剤ガスを供給するように構成された局所的推進剤タンクと、
を有する
ことを特徴とする請求項１に記載の入れ子リングセル。
【請求項２３】
前記１または複数の可動トラムの少なくとも１つは、更に、
前記少なくとも１つのノズルの各々のためのそれぞれの制御バルブと、
前記少なくとも１つの制御バルブを制御するように構成された制御回路と、
を有する
ことを特徴とする請求項２２に記載の入れ子リングセル。
【請求項２４】
前記１または複数の可動トラムの少なくとも１つは、当該それぞれの可動トラム及びデバイスに動作可能に接続された電動ヒンジを有しており
前記ヒンジは、前記デバイスが前記それぞれの可動トラムからフリップアウトして展開することを可能にする
ことを特徴とする請求項１に記載の入れ子リングセル。
【請求項２５】
前記デバイスは、レンズ、ミラー、シェード、フィルタ、フリップアウトセンサ、フリップアウト角運動量制御デバイス、リニアモータとして機能するパターン電極、または、それらの任意の組み合わせ、を含む
ことを特徴とする請求項２４に記載の入れ子リングセル。
【請求項２６】
前記１または複数の可動トラムの少なくとも１つは、
当該それぞれの可動トラムの異なる側に配置された少なくとも２つのホーンアンテナと、
前記少なくとも２つのホーンアンテナに動作可能に接続された制御電子機器と、
を有しており、
前記少なくとも２つのホーンアンテナ及び前記制御電子機器は、ミリ波（ｍｍ波）及びマイクロ波（μ波）の検知または放送を促進するように構成されている
ことを特徴とする請求項１に記載の入れ子リングセル。
【請求項２７】
前記１または複数の可動トラムの少なくとも１つは、複数の撮像装置または検出器を含んでいる
ことを特徴とする請求項１に記載の入れ子リングセル。
【請求項２８】
前記１または複数の可動トラムの少なくとも１つは、
ＬＩＤＡＲ用または光通信用の光源レーザを提供するように構成されたレーザシステムと、
前記レーザシステムからの前記光源レーザを制御するように構成された、ジンバル式または検流計ベースのビーム送達制御システムと、
前記レーザシステムによって生成される熱を放散するように構成された冷却システムと、
を有している
ことを特徴とする請求項１に記載の入れ子リングセル。
【請求項２９】
前記１または複数の可動トラムの少なくとも１つは、
リンク機構と、
前記リンク機構が動作可能に接続される回転可能カラーと、
前記回転可能カラーがその回りに回転する内側トラムリングと、
前記回転可能カラーの回転を制御するように構成された制御電子機器と、
を有する回転可能トラムである
ことを特徴とする請求項１に記載の入れ子リングセル。
【請求項３０】
前記回転可能トラムは、更に、当該それぞれの可動トラムが接続されているリングから電力を受け取って前記制御電子機器に電力を供給する、前記内側トラムリング上の複数のレールガイドを有する
ことを特徴とする請求項２９に記載の入れ子リングセル。
【手続補正２】
【補正対象書類名】明細書
【補正対象項目名】０１７８
【補正方法】変更
【補正の内容】
【０１７８】
当業者は、前述の本発明が、異なる順序の工程で、及び／または、開示されたものとは異なる形態のハードウェア要素で、実施され得る、ということを容易に理解するであろう。従って、本発明はこれらの好ましい実施形態に基づいて説明されたが、本発明の精神及び範囲内に留まりながら、特定の修正、変形及び代替構成が明らかであることは、当業者には自明であろう。従って、本発明の境界を決定するために、添付の特許請求の範囲が参照されるべきである。
なお、出願時の請求項は以下の通りである。
＜請求項１＞
複数のセルを備えたセルベースの宇宙システムであって、
前記複数のセルのうちの少なくとも１つは、少なくとも１つのリングと、当該少なくとも１つのリングのうちの１つに沿って移動するように構成された可動トラムと、を有しており、
前記複数のセルは、２またはそれ以上のセルが関与する集合的ミッションを実行するセルの集合体を形成するように構成されている
ことを特徴とするシステム。
＜請求項２＞
前記少なくとも１つのリングは、外側リングと、当該外側リングの内部に配置された内側リングと、を有している
ことを特徴とする請求項１に記載のシステム。
＜請求項３＞
前記複数のセルのうちの前記少なくとも１つは、更に、前記外側リングと前記内側リングとの間に位置する中間リングを有している
ことを特徴とする請求項２に記載のシステム。
＜請求項４＞
前記複数のセルのうちの前記少なくとも１つは、更に、前記外側リングと前記中間リングと前記内側リングとを接続するシャフトを有しており、
前記外側リングと前記中間リングと前記内側リングとは、前記シャフトに回転可能に接続されている
ことを特徴とする請求項３に記載のシステム。
＜請求項５＞
前記複数のセルのうちの前記少なくとも１つは、更に、外側リングモータと中間リングモータと内側リングモータとを有しており、
前記外側リングモータと前記中間リングモータと前記内側リングモータは、それぞれ、前記外側リングと前記中間リングと前記内側リングの回転を促進するように構成されている
ことを特徴とする請求項４に記載のシステム。
＜請求項６＞
前記外側リングと前記内側リングは、平坦な形態で格納され得て、その後、それらの各セルが宇宙に至ると展開され得る、というように折り畳み可能である
ことを特徴とする請求項２に記載のシステム。
＜請求項７＞
前記外側リング、前記内側リング、または、それらの両方は、それぞれのリングの動作またはセル全体の動作を制御するように構成された制御電子機器を有する
ことを特徴とする請求項２に記載のシステム。
＜請求項８＞
前記可動トラムは、前記外側リング及び前記内側リングの一方または両方の動作、または、セル全体の動作、を制御するように構成された制御電子機器を有する
ことを特徴とする請求項２に記載のシステム。
＜請求項９＞
前記複数のセルのうちの前記少なくとも１つは、更に、そのセルの動作を制御するように構成されたペイロード／制御部を有する
ことを特徴とする請求項１に記載のシステム。
＜請求項１０＞
前記ペイロード／制御部は、格納された形態にある時、そのセルのコンパクトなフォームファクタを部分的に促進する平坦な形状を有する
ことを特徴とする請求項９に記載のシステム。
＜請求項１１＞
前記ペイロード／制御部は、少なくとも１つの推進剤貯蔵タンクを有する
ことを特徴とする請求項９に記載のシステム。
＜請求項１２＞
前記ペイロード／制御部は、
リアクションホイールハウジング、及び、
リアクションホイールと、当該ペイロード／制御部の正味の角運動量ベクトルを制御して前記リアクションホイールによって生成される運動量の非飽和化を可能にする運動量ダンピングシステムと、を含む運動量管理システム、
を有している
ことを特徴とする請求項９に記載のシステム。
＜請求項１３＞
前記ペイロード／制御部は、前記運動量管理システムを介して、前記外側リング、前記中間リング及び／または前記内側リングの回転を無効化するように構成されている
ことを特徴とする請求項１２に記載のシステム。
＜請求項１４＞
前記少なくとも１つのリングのうちの少なくとも１つは、前記可動トラムに電力を供給して制御するための電力線及びデータ線を含むレールを有している
ことを特徴とする請求項１に記載のシステム。
＜請求項１５＞
前記少なくとも１つのリングのうちの少なくとも１つは、
その各セルを推進するよう構成された少なくとも１つの回転可能なノズルと、
前記少なくとも１つの回転可能なノズルに推進剤を供給するように構成された少なくとも１つの推進剤ラインと、
を有している
ことを特徴とする請求項１に記載のシステム。
＜請求項１６＞
前記可動トラムは、
少なくとも１つの他のセル、他のセルの少なくとも１つの他のトラム、少なくとも１つの他の構造、または、それらの任意の組み合わせ、に接続するか、
少なくとも１つの他のセルに、電力、データ、燃料、熱、または、それらの任意の組み合わせ、を提供するか、
連結され得る外部成分を保持する支持構造として機能するか、または、
これらの任意の組合せを行う
ように構成されている
ことを特徴とする請求項１に記載のシステム。
＜請求項１７＞
前記可動トラムは、他のトラムのリンク部材、他の構造、または、それらの両方、とリンク動作を実施するように構成されたリンク機構を有する
ことを特徴とする請求項１に記載のシステム。
＜請求項１８＞
前記リンク機構は、リング、トラム、または、それらの両方、の磁石と作用するように構成された電磁石を有する
ことを特徴とする請求項１７に記載のシステム。
＜請求項１９＞
前記リンク機構は、ドッキングのための視覚的姿勢推定、トラム間で渡される信号及び情報のテスト、並びに、サイバー脅威に対するセキュリティ、を提供するハードウェア及びソフトウェアを含む階層化インタフェースを有している
ことを特徴とする請求項１８に記載のシステム。
＜請求項２０＞
前記リンク機構は、電動式であり、ヒンジ継手、ピボット継手、ボールソケット継手、楕円ソケット継手、サドル継手、平面継手、機械的及び磁気的インターロック、または、バネ負荷式ボール溝継手、の一部を有する
ことを特徴とする請求項１７に記載のシステム。
＜請求項２１＞
前記複数のセルは、平坦な形態で格納され得て、接続されたシステムとして配備され得て、その後、切断されることなくアレイまたは構造を形成するべく宇宙で解かれ得る、というように折り畳み可能である
ことを特徴とする請求項１７に記載のシステム。
＜請求項２２＞
前記複数のセルによって形成されるアレイまたは構造は、疎の開口（ｓｐａｒｓｅ  ａｐｅｒｔｕｒｅ）アレイ、ケージ（ｃａｇｅｄ）構造、三次元（３Ｄ）構造、ストラット、または、それらの任意の組み合わせ、を含む
ことを特徴とする請求項２１に記載のシステム。
＜請求項２３＞
前記可動トラムは、前記トラム及びその構成要素の動作を制御するように構成された回路を更に有する
ことを特徴とする請求項１に記載のシステム。
＜請求項２４＞
前記可動トラムがそれに沿って移動するリングは、トラム保持部を有するレールを含んでいる
ことを特徴とする請求項１に記載のシステム。
＜請求項２５＞
前記可動トラムは、前記レールの前記トラム保持部と係合して、当該可動トラムをそのそれぞれのリングに動作可能に接続した状態に保つように構成されたトラム保持部材を有している
ことを特徴とする請求項２４に記載のシステム。
＜請求項２６＞
前記可動トラムは、前記レールの前記トラム保持部に接触して前記レールに沿った当該トラムの移動を促進するホイールを含んでいる
ことを特徴とする請求項２４に記載のシステム。
＜請求項２７＞
前記可動トラムは、
推進剤ガスを排出するように構成された少なくとも１つのノズルと、
前記少なくとも１つのノズルに前記推進剤ガスを供給するように構成された局所的推進剤タンクと、
を有する
ことを特徴とする請求項１に記載のシステム。
＜請求項２８＞
前記可動トラムは、更に、
前記少なくとも１つのノズルの各々のためのそれぞれの制御バルブと、
前記少なくとも１つの制御バルブを制御するように構成された制御回路と、
を有する
ことを特徴とする請求項２７に記載のシステム。
＜請求項２９＞
前記少なくとも１つのトラムは、当該トラム及びデバイスに動作可能に接続された電動ヒンジを有しており
前記ヒンジは、前記デバイスが前記トラムからフリップアウトして展開することを可能にする
ことを特徴とする請求項１に記載のシステム。
＜請求項３０＞
前記デバイスは、レンズ、ミラー、シェード、フィルタ、フリップアウトセンサ、フリップアウト角運動量制御デバイス、リニアモータとして機能するパターン電極、または、それらの任意の組み合わせ、を含む
ことを特徴とする請求項２９に記載のシステム。
＜請求項３１＞
前記可動トラムは、
当該可動トラムの異なる側に配置された少なくとも２つのホーンアンテナと、
前記少なくとも２つのホーンアンテナに動作可能に接続された制御電子機器と、
を有しており、
前記少なくとも２つのホーンアンテナ及び前記制御電子機器は、ミリ波（ｍｍ波）及びマイクロ波（μ波）の検知または放送を促進するように構成されている
ことを特徴とする請求項１に記載のシステム。
＜請求項３２＞
前記可動トラムは、複数の撮像装置または検出器を含んでいる
ことを特徴とする請求項１に記載のシステム。
＜請求項３３＞
前記可動トラムは、
ＬＩＤＡＲ用または光通信用の光源レーザを提供するように構成されたレーザシステムと、
前記レーザシステムからの前記光源レーザを制御するように構成された、ジンバル式または検流計ベースのビーム送達制御システムと、
前記レーザシステムによって生成される熱を放散するように構成された冷却システムと、
を有している
ことを特徴とする請求項１に記載のシステム。
＜請求項３４＞
前記可動トラムは、
リンク機構と、
前記リンク機構が動作可能に接続される回転可能カラーと、
前記回転可能カラーがその回りに回転する内側リングと、
前記回転可能カラーの回転を制御するように構成された制御電子機器と、
を有する回転可能トラムである
ことを特徴とする請求項１に記載のシステム。
＜請求項３５＞
前記可動トラムは、更に、当該トラムが接続されているリングから電力を受け取って前記制御電子機器に電力を供給する、前記内側リング上の複数のレールガイドを有する
ことを特徴とする請求項３１に記載のシステム。
＜請求項３６＞
前記複数のセルは、格納されたセルのスタック状に配置され、
当該システムは、前記セルのスタックを一緒に保つように構成された接続部材を更に備える
ことを特徴とする請求項１に記載のシステム。
＜請求項３７＞
前記接続部材は、ボールジョイントコネクタ、磁石、または、それらの任意の組み合わせ、を含んでいる
ことを特徴とする請求項３６に記載のシステム。
＜請求項３８＞
各接続部材は、２つのセルを回転可能に接続している
ことを特徴とする請求項３６に記載のシステム。
＜請求項３９＞
当該システムは、打ち上げ宇宙船のペイロード部を更に備え、
前記セルのスタックは、前記打ち上げ宇宙船の前記ペイロード部内に収容される
ことを特徴とする請求項３６に記載のシステム。
＜請求項４０＞
前記複数のセルのうちの前記少なくとも１つのセルは、更に、少なくとも１つのソーラーパネル、少なくとも１つの熱シールド、少なくとも１つの反射面、少なくとも１つのアンテナ皿、または、それらの任意の組み合わせ、を含んでおり、それは、アクチュエータによって駆動されるそれぞれの拡張可能及び／または回転可能な接続部材を介してそのセルに動作可能に接続されている
ことを特徴とする請求項１に記載のシステム。
＜請求項４１＞
格納形態にある時、前記少なくとも１つのソーラーパネル、前記少なくとも１つの熱シールド、前記少なくとも１つの反射面、前記少なくとも１つのアンテナ皿、または、それらの組み合わせは、それぞれのセルの本体内に格納される
ことを特徴とする請求項４０に記載のシステム。
＜請求項４２＞
前記少なくとも１つのソーラーパネル、前記少なくとも１つの熱シールド、前記少なくとも１つの反射面、前記少なくとも１つのアンテナ皿、または、それらの組み合わせは、その側面にバッテリまたはラジエータを有している
ことを特徴とする請求項４０に記載のシステム。
＜請求項４３＞
前記複数のセルのうちの前記少なくとも１つのセルは、展開可能な望遠鏡、展開可能なエネルギ収穫デバイス、または、それらの任意の組み合わせ、を更に含んでいる
ことを特徴とする請求項１に記載のシステム。
＜請求項４４＞
前記少なくとも１つのリングは、外側リングと、当該外側リング内に配置された内側リングと、前記外側リング及び前記内側リングの間に配置された中間リングと、を有しており、
前記中間リング及び前記内側リングは、各々、磁気ペイロードを移動するように構成された電気及び機械（Ｅ＆Ｍ）ドライバを有する少なくとも１つのトラムを含んでおり、
前記複数のセルのうちの複数のセルが、仮想「レール」システムを形成し、仮想レール内にペイロードを閉じ込め、順次の電磁作動によって当該ペイロードを推進する
ことを特徴とする請求項１に記載のシステム。
＜請求項４５＞
前記中間リング及び前記内側リングの前記少なくとも１つのトラムが、集合的に前記磁気ペイロードを推進するように構成された複数の伸長可能な電磁石を有している
ことを特徴とする請求項４４に記載のシステム。
＜請求項４６＞
外側リングと、
前記外側リングの内部に配置された内側リングと、
前記外側リング上に配置され、前記外側リングの少なくとも一部に沿って移動するように構成された可動トラムと、
を備えたことを特徴とする入れ子リングセル。
＜請求項４７＞
前記外側リングと前記内側リングとの間に位置する中間リング
を更に備えたことを特徴とする請求項４６に記載の入れ子リングセル。
＜請求項４８＞
前記外側リングと前記中間リングと前記内側リングとを接続するシャフト
を更に備え、
前記外側リングと前記中間リングと前記内側リングとは、前記シャフトに回転可能に接続されている
ことを特徴とする請求項４７に記載の入れ子リングセル。
＜請求項４９＞
外側リングモータと中間リングモータと内側リングモータ
を更に備え、
前記外側リングモータと前記中間リングモータと前記内側リングモータは、それぞれ、前記外側リングと前記中間リングと前記内側リングの回転を促進するように構成されている
ことを特徴とする請求項４８に記載の入れ子リングセル。
＜請求項５０＞
前記外側リングと前記内側リングは、平坦な形態で格納され得て、その後、当該入れ子リングセルが宇宙に至ると展開され得る、というように折り畳み可能である
ことを特徴とする請求項４６に記載の入れ子リングセル。
＜請求項５１＞
前記外側リング、前記内側リング、または、それらの両方は、それぞれのリングの動作またはセル全体の動作を制御するように構成された制御電子機器を有する
ことを特徴とする請求項４６に記載の入れ子リングセル。
＜請求項５２＞
前記可動トラムは、前記外側リング及び前記内側リングの一方または両方の動作、または、セル全体の動作、を制御するように構成された制御電子機器を有する
ことを特徴とする請求項４６に記載の入れ子リングセル。
＜請求項５３＞
前記複数のセルのうちの前記少なくとも１つは、更に、そのセルの動作を制御するように構成されたペイロード／制御部を有し、
前記ペイロード／制御部は、格納された形態にある時、そのセルのコンパクトなフォームファクタを部分的に促進する平坦な形状を有する
ことを特徴とする請求項４６に記載の入れ子リングセル。
＜請求項５４＞
前記ペイロード／制御部は、少なくとも１つの推進剤貯蔵タンクを有する
ことを特徴とする請求項５３に記載の入れ子リングセル。
＜請求項５５＞
前記ペイロード／制御部は、
リアクションホイールハウジング、及び、
リアクションホイールと、当該ペイロード／制御部の正味の角運動量ベクトルを制御して前記リアクションホイールによって生成される運動量の非飽和化を可能にする運動量ダンピングシステムと、を含む運動量管理システム、
を有しており、
前記ペイロード／制御部は、前記運動量管理システムを介して、前記外側リング、前記中間リング及び／または前記内側リングの回転を無効化するように構成されている
ことを特徴とする請求項５３に記載の入れ子リングセル。
＜請求項５６＞
前記外側リング、前記内側リング、または、それらの両方は、前記可動トラムに電力を供給して制御するための電力線及びデータ線を含むレールを有している
ことを特徴とする請求項４６に記載の入れ子リングセル。
＜請求項５７＞
前記外側リング、前記内側リング、または、それらの両方は、
当該入れ子リングセルを推進するよう構成された少なくとも１つの回転可能なノズルと、
前記少なくとも１つの回転可能なノズルに推進剤を供給するように構成された少なくとも１つの推進剤ラインと、
を有している
ことを特徴とする請求項４６に記載の入れ子リングセル。
＜請求項５８＞
前記可動トラムは、
少なくとも１つの他のセル、他のセルの少なくとも１つの他のトラム、少なくとも１つの他の構造、または、それらの任意の組み合わせ、に接続するか、
少なくとも１つの他のセルに、電力、データ、燃料、熱、または、それらの任意の組み合わせ、を提供するか、
連結され得る外部成分を保持する支持構造として機能するか、または、
これらの任意の組合せを行う
ように構成されている
ことを特徴とする請求項４６に記載の入れ子リングセル。
＜請求項５９＞
前記可動トラムは、他のトラムのリンク部材、他の構造、または、それらの両方、とリンク動作を実施するように構成されたリンク機構を有する
ことを特徴とする請求項４６に記載の入れ子リングセル。
＜請求項６０＞
前記リンク機構は、リング、トラム、または、それらの両方、の磁石と作用するように構成された電磁石を有する
ことを特徴とする請求項５９に記載の入れ子リングセル。
＜請求項６１＞
前記リンク機構は、ドッキングのための視覚的姿勢推定、トラム間で渡される信号及び情報のテスト、並びに、サイバー脅威に対するセキュリティ、を提供するハードウェア及びソフトウェアを含む階層化インタフェースを有している
ことを特徴とする請求項６０に記載の入れ子リングセル。
＜請求項６２＞
前記リンク機構は、電動式であり、ヒンジ継手、ピボット継手、ボールソケット継手、楕円ソケット継手、サドル継手、平面継手、機械的及び磁気的インターロック、または、バネ負荷式ボール溝継手、の一部を有する
ことを特徴とする請求項６０に記載の入れ子リングセル。
＜請求項６３＞
前記可動トラムは、前記トラム及びその構成要素の動作を制御するように構成された回路を更に有する
ことを特徴とする請求項４６に記載の入れ子リングセル。
＜請求項６４＞
前記可動トラムがそれに沿って移動するリングは、トラム保持部を有するレールを含んでいる
ことを特徴とする請求項４６に記載の入れ子リングセル。
＜請求項６５＞
前記可動トラムは、前記レールの前記トラム保持部と係合して、当該トラムをそのそれぞれのリングに動作可能に接続した状態に保つように構成されたトラム保持部材を有している
ことを特徴とする請求項６４に記載の入れ子リングセル。
＜請求項６６＞
前記可動トラムは、前記レールの前記トラム保持部に接触して前記レールに沿った当該トラムの移動を促進するホイールを含んでいる
ことを特徴とする請求項６４に記載の入れ子リングセル。
＜請求項６７＞
前記可動トラムは、
推進剤ガスを排出するように構成された少なくとも１つのノズルと、
前記少なくとも１つのノズルに前記推進剤ガスを供給するように構成された局所的推進剤タンクと、
を有する
ことを特徴とする請求項４６に記載の入れ子リングセル。
＜請求項６８＞
前記可動トラムは、更に、
前記少なくとも１つのノズルの各々のためのそれぞれの制御バルブと、
前記少なくとも１つの制御バルブを制御するように構成された制御回路と、
を有する
ことを特徴とする請求項６７に記載の入れ子リングセル。
＜請求項６９＞
前記少なくとも１つのトラムは、当該トラム及びデバイスに動作可能に接続された電動ヒンジを有しており
前記ヒンジは、前記デバイスが前記トラムからフリップアウトして展開することを可能にする
ことを特徴とする請求項４６に記載の入れ子リングセル。
＜請求項７０＞
前記デバイスは、レンズ、ミラー、シェード、フィルタ、フリップアウトセンサ、フリップアウト角運動量制御デバイス、リニアモータとして機能するパターン電極、または、それらの任意の組み合わせ、を含む
ことを特徴とする請求項６９に記載の入れ子リングセル。
＜請求項７１＞
前記可動トラムは、
当該可動トラムの異なる側に配置された少なくとも２つのホーンアンテナと、
前記少なくとも２つのホーンアンテナに動作可能に接続された制御電子機器と、
を有しており、
前記少なくとも２つのホーンアンテナ及び前記制御電子機器は、ミリ波（ｍｍ波）及びマイクロ波（μ波）の検知または放送を促進するように構成されている
ことを特徴とする請求項４６に記載の入れ子リングセル。
＜請求項７２＞
前記可動トラムは、複数の撮像装置または検出器を含んでいる
ことを特徴とする請求項４６に記載の入れ子リングセル。
＜請求項７３＞
前記可動トラムは、
ＬＩＤＡＲ用または光通信用の光源レーザを提供するように構成されたレーザシステムと、
前記レーザシステムからの前記光源レーザを制御するように構成された、ジンバル式または検流計ベースのビーム送達制御システムと、
前記レーザシステムによって生成される熱を放散するように構成された冷却システムと、
を有している
ことを特徴とする請求項４６に記載の入れ子リングセル。
＜請求項７４＞
前記可動トラムは、
リンク機構と、
前記リンク機構が動作可能に接続される回転可能カラーと、
前記回転可能カラーがその回りに回転する内側リングと、
前記回転可能カラーの回転を制御するように構成された制御電子機器と、
を有する回転可能トラムである
ことを特徴とする請求項４６に記載の入れ子リングセル。
＜請求項７５＞
前記可動トラムは、更に、当該トラムが接続されているリングから電力を受け取って前記制御電子機器に電力を供給する、前記内側リング上の複数のレールガイドを有する
ことを特徴とする請求項７４に記載の入れ子リングセル。
＜請求項７６＞
少なくとも１つのソーラーパネル、少なくとも１つの熱シールド、少なくとも１つの反射面、少なくとも１つのアンテナ皿、または、それらの任意の組み合わせ、を更に備え、それは、アクチュエータによって駆動されるそれぞれの拡張可能及び／または回転可能な接続部材を介して当該入れ子リングセルに動作可能に接続されている
ことを特徴とする請求項４６に記載の入れ子リングセル。
＜請求項７７＞
格納形態にある時、前記少なくとも１つのソーラーパネル、前記少なくとも１つの熱シールド、前記少なくとも１つの反射面、前記少なくとも１つのアンテナ皿、または、それらの組み合わせは、当該入れ子リングセルの本体内に格納される
ことを特徴とする請求項７６に記載の入れ子リングセル。
＜請求項７８＞
前記少なくとも１つのソーラーパネル、前記少なくとも１つの熱シールド、前記少なくとも１つの反射面、前記少なくとも１つのアンテナ皿、または、それらの組み合わせは、その側面にバッテリまたはラジエータを有している
ことを特徴とする請求項７６に記載の入れ子リングセル。
＜請求項７９＞
展開可能な望遠鏡、展開可能なエネルギ収穫デバイス、または、それらの任意の組み合わせ
を更に備えたことを特徴とする請求項４６に記載の入れ子リングセル。
＜請求項８０＞
展開可能な望遠鏡、展開可能なエネルギ収穫デバイス、または、それらの任意の組み合わせは、複数のセルから構成されている
を更に備えたことを特徴とする請求項７９に記載の入れ子リングセル。
＜請求項８１＞
前記外側リング及び前記内側リングの間に配置された中間リング
を更に備え、
前記中間リング及び前記内側リングは、各々、磁気ペイロードを移動するように構成された電気及び機械（Ｅ＆Ｍ）ドライバを有する少なくとも１つのトラムを含んでおり、
前記複数のセルのうちの複数のセルが、仮想「レール」システムを形成し、仮想レール内にペイロードを閉じ込め、順次の電磁作動によって当該ペイロードを推進する
ことを特徴とする請求項４６に記載の入れ子リングセル。
＜請求項８２＞
前記中間リング及び前記内側リングの前記少なくとも１つのトラムが、集合的に前記磁気ペイロードを推進するように構成された複数の伸長可能な電磁石を有している
ことを特徴とする請求項８１に記載の入れ子リングセル。
＜請求項８３＞
可動トラムであって、
レールのトラム保持部と係合して、当該可動トラムをセルのリングに動作可能に接続した状態に保つように構成されたトラム保持部材と、
当該可動トラムの動作を制御するように構成された制御電子機器と、
を備え、
当該可動トラムは、前記セルの前記リングの少なくとも一部に沿って移動するように構成されている
ことを特徴とする可動トラム。
＜請求項８４＞
前記レールの前記トラム保持部に接触して前記レールに沿った当該トラムの移動を促進するホイール
を更に備えたことを特徴とする請求項８３に記載の可動トラム。
＜請求項８５＞
前記可動トラムは、
少なくとも１つの他のセル、他のセルの少なくとも１つの他のトラム、少なくとも１つの他の構造、または、それらの任意の組み合わせ、に接続するか、
少なくとも１つの他のセルに、電力、データ、燃料、熱、または、それらの任意の組み合わせ、を提供するか、
連結され得る外部成分を保持する支持構造として機能するか、または、
これらの任意の組合せを行う
ように構成されている
ことを特徴とする請求項８３に記載の可動トラム。
＜請求項８６＞
他のトラムのリンク部材、他の構造、または、それらの両方、とリンク動作を実施するように構成されたリンク機構
を更に備えたことを特徴とする請求項８３に記載の可動トラム。
＜請求項８７＞
前記リンク機構は、リング、トラム、または、それらの両方、の磁石と作用するように構成された電磁石を有する
ことを特徴とする請求項８６に記載の可動トラム。
＜請求項８８＞
前記リンク機構は、ドッキングのための視覚的姿勢推定、トラム間で渡される信号及び情報のテスト、並びに、サイバー脅威に対するセキュリティ、を提供するハードウェア及びソフトウェアを含む階層化インタフェースを有している
ことを特徴とする請求項８６に記載の可動トラム。
＜請求項８９＞
前記リンク機構は、電動式であり、ヒンジ継手、ピボット継手、ボールソケット継手、楕円ソケット継手、サドル継手、平面継手、機械的及び磁気的インターロック、または、バネ負荷式ボール溝継手、の一部を有する
ことを特徴とする請求項８６に記載の可動トラム。
＜請求項９０＞
推進剤ガスを排出するように構成された少なくとも１つのノズルと、
前記少なくとも１つのノズルに前記推進剤ガスを供給するように構成された局所的推進剤タンクと、
を更に備えたことを特徴とする請求項８３に記載の可動トラム。
＜請求項９１＞
前記少なくとも１つのノズルの各々のためのそれぞれの制御バルブと、
前記少なくとも１つの制御バルブを制御するように構成された制御回路と、
を更に備えたことを特徴とする請求項９０に記載の可動トラム。
＜請求項９２＞
当該トラム及びデバイスに動作可能に接続された電動ヒンジ
を更に備え、
前記ヒンジは、前記デバイスが前記トラムからフリップアウトして展開することを可能にする
ことを特徴とする請求項８３に記載の可動トラム。
＜請求項９３＞
前記デバイスは、レンズ、ミラー、シェード、フィルタ、フリップアウトセンサ、フリップアウト角運動量制御デバイス、リニアモータとして機能するパターン電極、または、それらの任意の組み合わせ、を含む
ことを特徴とする請求項９２に記載の可動トラム。
＜請求項９４＞
当該可動トラムの異なる側に配置された少なくとも２つのホーンアンテナと、
前記少なくとも２つのホーンアンテナに動作可能に接続された制御電子機器と、
を更に備え、
前記少なくとも２つのホーンアンテナ及び前記制御電子機器は、ミリ波（ｍｍ波）及びマイクロ波（μ波）の検知または放送を促進するように構成されている
ことを特徴とする請求項８３に記載の可動トラム。
＜請求項９５＞
複数の撮像装置または検出器
を更に備えたことを特徴とする請求項８３に記載の可動トラム。
＜請求項９６＞
ＬＩＤＡＲ用または光通信用の光源レーザを提供するように構成されたレーザシステムと、
前記レーザシステムからの前記光源レーザを制御するように構成された、ジンバル式または検流計ベースのビーム送達制御システムと、
前記レーザシステムによって生成される熱を放散するように構成された冷却システムと、
を更に備えたことを特徴とする請求項８３に記載の可動トラム。
＜請求項９７＞
集合的に磁気ペイロードを推進するように構成された複数の伸長可能な電磁石
を更に備えたことを特徴とする請求項８３に記載の可動トラム。
＜請求項９８＞
リンク機構と、
前記リンク機構が動作可能に接続される回転可能カラーと、
前記回転可能カラーがその回りに回転する内側リングと、
前記回転可能カラーの回転を制御するように構成された制御電子機器と、
を備えた回転可能トラム。
＜請求項９９＞
当該回転可能トラムが接続されているリングから電力を受け取って前記制御電子機器に電力を供給する、前記内側リング上の複数のレールガイド
を更に備えたことを特徴とする請求項９８に記載の回転可能トラム。